(57)【要約】【課題】複数のヒューズをなるべく省スペースで配設できるようにすることを目的とする。【解決手段】ヒューズボックス１０は、ヒューズボックス本体１２と、ヒューズボックス本体に挿着される一対の内側脚部（例えば、第１脚部２２）と、一対の内側脚部をつなぐ内側連結部（例えば、第１連結部２４）とを含む内側ヒューズ（例えば、第１ヒューズ２０）と、ヒューズボックス本体１２に挿着される一対の外側脚部（例えば、第２脚部３２）と、一対の外側脚部をつなぐ外側連結部（例えば、第２連結部３４）とを含む外側ヒューズ（例えば、第２ヒューズ３０）とを備える。内側ヒューズと外側ヒューズとの挿着方向において、内側連結部と前記外側連結部とを重複させた状態で、内側ヒューズと外側ヒューズとがヒューズボックス本体１２に保持されている。【選択図】図２
2017060252.tif 000002
【特許請求の範囲】
【請求項１】
ヒューズボックス本体と、
前記ヒューズボックス本体に挿着される一対の内側脚部と、前記一対の内側脚部をつなぐ内側連結部とを含む内側ヒューズと、
前記ヒューズボックス本体に挿着される一対の外側脚部と、前記一対の外側脚部をつなぐ外側連結部とを含む外側ヒューズと、
を備え、
前記内側ヒューズと前記外側ヒューズとの挿着方向において、前記内側連結部と前記外側連結部とを重複させた状態で、前記内側ヒューズと前記外側ヒューズとが前記ヒューズボックス本体に保持されている、ヒューズボックス。
【請求項２】
請求項１に記載のヒューズボックスであって、
前記内側連結部と前記外側連結部とが互いに平行な状態で重複している、ヒューズボックス。
【請求項３】
請求項１又は請求項２に記載のヒューズボックスであって、
前記内側ヒューズと前記外側ヒューズとが別体に形成されている、ヒューズボックス。
【請求項４】
請求項１〜請求項３のいずれか１項に記載のヒューズボックスであって、
前記内側連結部及び前記外側連結部のそれぞれに溶断部が設けられ、
前記内側連結部の溶断部と前記外側連結部の溶断部とが重複している、ヒューズボックス。
【請求項５】
請求項１〜請求項４のいずれか１項に記載のヒューズボックスであって、
前記外側連結部が、長尺状の外側中間連結部と、前記外側中間連結部の両端から前記一対の外側脚部に向けて延在する一対の外側柱状連結部とを含み、前記外側中間連結部と前記一対の外側柱状連結部との間に前記内側連結部を配設可能な形状に形成されている、ヒューズボックス。
【請求項６】
請求項５に記載のヒューズボックスであって、
前記内側連結部は、長尺状の内側中間連結部と、前記内側中間連結部の両端から前記一対の内側脚部に向けて延在する一対の内側柱状連結部とを含む形状に形成され、
前記ヒューズボックス本体に挿着される脚部と、前記一対の脚部間をつなぐ連結部とを含み、前記連結部が前記内側連結部の内側に配設されているヒューズをさらに備える、ヒューズボックス。
【請求項７】
一対の内側脚部と、前記一対の内側脚部間をつなぐ内側連結部とを含む内側ヒューズと、
一対の外側脚部と、前記一対の外側脚部間をつなぐ外側連結部とを含み、前記外側連結部が、長尺状の外側中間連結部と、前記外側中間連結部の両端から前記一対の外側脚部に向けて延在する一対の外側柱状連結部とを含み、前記外側中間連結部と前記一対の外側柱状連結部との間に前記内側連結部を配設可能な形状に形成された外側ヒューズと、
を備えるヒューズユニット。
【請求項８】
一対の脚部と、
長尺状の外側中間連結部と、前記外側中間連結部の両端から前記一対の外側脚部に向けて延在する一対の外側柱状連結部とを含み、全体として前記一対の脚部間をつなぐ連結部と、
を備えるヒューズ。
【発明の詳細な説明】
【技術分野】
【０００１】
この発明は、ヒューズを省スペースで配設するための技術に関する。
【背景技術】
【０００２】
複数のヒューズは、リレーブロック又はジャンクションブロック等で、並べられた状態で保持される。特許文献１は、複数のヒューズを、リレーブロック上に保持する構成を開示している。
【先行技術文献】
【特許文献】
【０００３】
【特許文献１】特開２０１４−２２０８６４号公報
【発明の概要】
【発明が解決しようとする課題】
【０００４】
しかしながら、特許文献１に開示の技術によると、複数のヒューズを平面視において互いに重複しないように配設する必要があり、その配設面積が大きくなるという問題があった。
【０００５】
そこで、本発明は、ヒューズをなるべく省スペースで配設できるようにすることを目的とする。
【課題を解決するための手段】
【０００６】
上記課題を解決するため、第１の態様に係るヒューズボックスは、ヒューズボックス本体と、前記ヒューズボックス本体に挿着される一対の内側脚部と、前記一対の内側脚部をつなぐ内側連結部とを含む内側ヒューズと、前記ヒューズボックス本体に挿着される一対の外側脚部と、前記一対の外側脚部をつなぐ外側連結部とを含む外側ヒューズとを備え、前記内側ヒューズと前記外側ヒューズとの挿着方向において、前記内側連結部と前記外側連結部とを重複させた状態で、前記内側ヒューズと前記外側ヒューズとが前記ヒューズボックス本体に保持されているものである。
【０００７】
第２の態様は、第１の態様に係るヒューズボックスであって、前記内側連結部と前記外側連結部とが互いに平行な状態で重複しているものである。
【０００８】
第３の態様は、第１又は第２の態様に係るヒューズボックスであって、前記内側ヒューズと前記外側ヒューズとが別体に形成されているものである。
【０００９】
第４の態様は、第１〜第３のいずれか１つの態様に係るヒューズボックスであって、前記内側連結部及び前記外側連結部のそれぞれに溶断部が設けられ、前記内側連結部の溶断部と前記外側連結部の溶断部とが重複しているものである。
【００１０】
第５の態様は、第１〜第４のいずれか１つの態様に係るヒューズボックスであって、前記外側連結部が、長尺状の外側中間連結部と、前記外側中間連結部の両端から前記一対の外側脚部に向けて延在する一対の外側柱状連結部とを含み、前記外側中間連結部と前記一対の外側柱状連結部との間に前記内側連結部を配設可能な形状に形成されているものである。
【００１１】
第６の態様は、第５の態様に係るヒューズボックスであって、前記内側連結部は、長尺状の内側中間連結部と、前記内側中間連結部の両端から前記一対の内側脚部に向けて延在する一対の内側柱状連結部とを含む形状に形成され、前記ヒューズボックス本体に挿着される脚部と、前記一対の脚部間をつなぐ連結部とを含み、前記連結部が前記内側連結部の内側に配設されているヒューズをさらに備えるものである。
【００１２】
また、上記課題を解決するため、第７の態様に係るヒューズユニットは、一対の内側脚部と、前記一対の内側脚部間をつなぐ内側連結部とを含む内側ヒューズと、一対の外側脚部と、前記一対の外側脚部間をつなぐ外側連結部とを含み、前記外側連結部が、長尺状の外側中間連結部と、前記外側中間連結部の両端から前記一対の外側脚部に向けて延在する一対の外側柱状連結部とを含み、前記外側中間連結部と前記一対の外側柱状連結部との間に前記内側連結部を配設可能な形状に形成された外側ヒューズとを備える。
【００１３】
また、上記課題を解決するため、第８の態様に係るヒューズは、一対の脚部と、長尺状の外側中間連結部と、前記外側中間連結部の両端から前記一対の外側脚部に向けて延在する一対の外側柱状連結部とを含み、全体として前記一対の脚部間をつなぐ連結部とを備える。
【発明の効果】
【００１４】
第１〜第６の態様によると、内側連結部と外側連結部とを重複させた状態で、内側ヒューズと外側ヒューズとがヒューズボックス本体に保持されているため、複数のヒューズをなるべく省スペースで配設できる。
【００１５】
第２の態様によると、内側連結部と外側連結部とが互いに平行な状態で重複しているため、それらをより省スペースで配設できる。
【００１６】
第３の態様によると、内側ヒューズと外側ヒューズとを別々に交換できる。
【００１７】
第５の態様によると、外側連結部の内側に内側連結部を配設することで、内側連結部と外側連結部とを重複させて配設することができる。
【００１８】
第６の態様によると、外側連結部の内側に内側連結部を配設し、さらに、内側連結部の内側に別のヒューズの連結部を配設することで、より多数のヒューズを重複させて配設することができる。
【００１９】
第７の態様によると、外側連結部の内側に内側連結部を配設することで、それらを重複させて、それらをなるべく省スペースで配設できる。
【００２０】
第８の態様によると、長尺状の外側中間連結部と、外側中間連結部の両端から前記一対の外側脚部に向けて延在する一対の外側柱状連結部とを含む連結部の内側の他のヒューズ等を配設することができ、ヒューズをなるべく省スペースで配設できる。
【図面の簡単な説明】
【００２１】
【図１】実施形態に係るヒューズボックスを示す概略斜視図である。
【図２】ヒューズボックスを示す概略正面図である。
【図３】ヒューズボックスに挿着された第１ヒューズ、第２ヒューズ及び第３ヒューズの平面図である。
【図４】第１ヒューズの斜視図である。
【図５】第２ヒューズの斜視図である。
【図６】第３ヒューズの斜視図である。
【図７】変形例に係る第１ヒューズと第２ヒューズとの配置関係を示す図である。
【図８】第２ヒューズとリレーとの配置関係を示す図である。
【図９】集合型ヒューズを示す図である。
【発明を実施するための形態】
【００２２】
以下、実施形態に係るヒューズボックス、ヒューズユニット及びヒューズについて説明する。図１はヒューズボックス１０を示す概略斜視図であり、図２はヒューズボックス１０を示す概略正面図であり、図３はヒューズボックス１０に挿着された第１ヒューズ２０、第２ヒューズ３０及び第３ヒューズ４０の平面図である。
【００２３】
ヒューズボックス１０は、ヒューズボックス本体１２と、第１ヒューズ２０と、第２ヒューズ３０と、第３ヒューズ４０とを備える。
【００２４】
ヒューズボックス本体１２は、樹脂等のケース１３と、内部回路体１４とを備える。
【００２５】
内部回路体１４は、樹脂等で形成された絶縁板に、配線回路が形成された構成とされている。配線回路は、金属板材を打抜き加工することによって形成されたバスバ、絶縁電線等によって構成されている。配線回路は、外部に引出された電線１１と接続されており、配線回路は、当該電線１１を介して外部の電源、諸電気機器、アース部位等に電気的に接続されている。
【００２６】
ヒューズボックス本体１２の少なくとも１つの主面（図１及び図２では上向き面）には、少なくとも１つ（図１では５つ）のヒューズユニット接続部１５が形成されている。各ヒューズユニット接続部１５には、第１ヒューズ２０と第２ヒューズ３０と第３ヒューズ４０とが接続される。各ヒューズユニット接続部１５の下部には、一対のメス端子１６が複数組（ここでは、３組）配設されている。各メス端子１６は、例えば、上記配線回路と接続された状態で、内部回路体１４によって又はケース１３によって一定位置に保持されている。そして、第１ヒューズ２０と、第２ヒューズ３０と、第３ヒューズ４０とを、対応する各組のメス端子１６に挿入接続できるようになっている。そして、第１ヒューズ２０と第２ヒューズ３０と第３ヒューズ４０とを、本ヒューズボックス本体１２に挿着すると、第１ヒューズ２０と第２ヒューズ３０と第３ヒューズ４０とは、内部回路体１４の配線回路及び電線１１等を介して、外部の電源、諸電気機器、アース部位等に電気的に接続される。
【００２７】
なお、ケース１３の表面であって上記ヒューズユニット接続部１５の周囲を囲う部分には、第１ヒューズ２０と第２ヒューズ３０と第３ヒューズ４０との集合体の外周の少なくとも一部を覆う囲い部が設けられていることが好ましい。
【００２８】
図４は第１ヒューズ２０の斜視図である。図１〜図４に示すように、第１ヒューズ２０は、一対の第１脚部２２と、一対の第１脚部２２をつなぐ第１連結部２４とを備える。
【００２９】
一対の第１脚部２２は、ヒューズボックス本体１２に挿着可能に形成されている。ここでは、第１脚部２２は、上記メス端子１６に挿入接続可能なピン状に形成されている。ここでは、第１脚部２２は、先端側に向けて徐々に幅狭となる細長板状に形成されている。
【００３０】
第１連結部２４は、第１ハウジング部２５と、第１導体部２６とを備える。
【００３１】
第１ハウジング部２５は、方形板状に形成されており、その一辺側部分の両端部から上記一対の第１脚部２２が並列状態で延出している。第１ハウジング部２５は、第１導体部２６を外部から絶縁する役割を果すことができる。好ましくは、第１導体部２６の状態を外部から確認できるように、第１ハウジング部２５は、透明又は半透明の樹脂等によって形成されている。
【００３２】
第１導体部２６は、一対の第１脚部延長部２７と、第１中間導体部２８とを備える。一対の第１脚部延長部２７は、第１ハウジング部２５内において、一対の第１脚部２２から真っ直ぐ延長するように並列状に延在している。第１中間導体部２８は、細長い線状に形成されており、その両端部は、一対の第１脚部延長部２７に溶接、半田付等によって接続されている。第１中間導体部２８の中間部はＵ字状に曲っており、この部分が、本第１ヒューズ２０に過電流が流される際に溶断する第１溶断部２８ａである。
【００３３】
かかる第１ヒューズ２０自体は、従来から一般的に用いられている自動車用のヒューズと同様構成である。
【００３４】
図５は第２ヒューズ３０の斜視図である。図１〜図３及び図５に示すように、第２ヒューズ３０は、一対の第２脚部３２と、一対の第２脚部３２をつなぐ第２連結部３４とを備える。
【００３５】
一対の第２脚部３２は、ヒューズボックス本体１２に挿着可能に形成されている。ここでは、第２脚部３２は、上記メス端子１６に挿入接続可能なピン状に形成されている。ここでは、第２脚部３２は、先端側に向けて徐々に幅狭となる細長板状に形成されている。
【００３６】
第２連結部３４は、長尺状の中間連結部３４ａと、この中間連結部３４ａの両端から一対の第２脚部３２に向けて延在する一対の柱状連結部３４ｂとを備える形状に形成されている。一対の柱状連結部３４ｂは、中間連結部３４ａの延在方向に対して直交する姿勢で同一方向に向けて並列状に延在している。中間連結部３４ａと一対の柱状連結部３４ｂとの間に囲まれる凹状空間３９は、上記第１連結部２４を配設可能な大きさ及び形状に形成されている。ここでは、一対の柱状連結部３４ｂの高さ寸法は、第１連結部２４の高さ寸法と同じに設定され、一対の柱状連結部３４ｂの間隔寸法は、第１連結部２４の幅寸法と同じに設定されている。
【００３７】
また、第２連結部３４は、第２ハウジング部３５と、第２導体部３６とを備えるとも捉えることができる。
【００３８】
第２ハウジング部３５が第２連結部３４の上記外形状を形作り、かつ、第２導体部３６を外部から絶縁する部分である。好ましくは、第２導体部３６の状態を外部から確認できるように、第２ハウジング部３５は、透明又は半透明の樹脂等によって形成されている。
【００３９】
第２導体部３６は、一対の第２脚部延長部３７と、第２中間導体部３８とを備える。一対の第２脚部延長部３７は、第２ハウジング部３５のうち柱状連結部３４ｂに対応する部分において、一対の第２脚部３２から真っ直ぐ延長するように並列状に延在している。第２中間導体部３８は、細長い線状に形成されており、第２ハウジング部３５のうち中間連結部３４ａに対応する部分内に配設されている。第２中間導体部３８の両端部は、一対の第２脚部延長部３７に達し、それらに溶接、半田付等によって接続されている。第２中間導体部３８の中間部はＵ字状に曲っており、この部分が、本第２ヒューズ３０に過電流が流れる際に溶断する第２溶断部３８ａである。
【００４０】
図６は第３ヒューズ４０の斜視図である。図１〜図３及び図６に示すように、第３ヒューズ４０は、一対の第３脚部４２と、一対の第３脚部４２をつなぐ第３連結部４４とを備える。
【００４１】
一対の第３脚部４２は、ヒューズボックス本体１２に挿着可能に形成されている。ここでは、第３脚部４２は、上記メス端子１６に挿入接続可能なピン状に形成されている。ここでは、第３脚部４２は、先端側に向けて徐々に幅狭となる細長板状に形成されている。
【００４２】
第３連結部４４は、長尺状の中間連結部４４ａと、この中間連結部４４ａの両端から一対の第３脚部４２に向けて延在する一対の柱状連結部４４ｂとを備える形状に形成されている。一対の柱状連結部４４ｂは、中間連結部４４ａの延在方向に対して直交する姿勢で同一方向に向けて並列状に延在している。中間連結部４４ａと一対の柱状連結部４４ｂとの間に囲まれる凹状空間４９は、上記第２連結部３４を配設可能な大きさ及び形状に形成されている。ここでは、一対の柱状連結部４４ｂの高さ寸法は、第２連結部３４の高さ寸法と同じに設定され、一対の柱状連結部４４ｂの間隔寸法は、第２連結部３４の幅寸法と同じに設定されている。
【００４３】
また、第３連結部４４は、第３ハウジング部４５と、第３導体部４６とを備えるとも捉えることができる。
【００４４】
第３ハウジング部４５が第３連結部４４の上記外形状を形作り、かつ、第３導体部４６を外部から絶縁する部分である。好ましくは、第３導体部４６の状態を外部から確認できるように、第３ハウジング部４５は、透明又は半透明の樹脂等によって形成されている。
【００４５】
第３導体部４６は、一対の第３脚部延長部４７と、第３中間導体部４８とを備える。一対の第３脚部延長部４７は、第３ハウジング部４５のうち柱状連結部４４ｂに対応する部分において、一対の第３脚部４２から真っ直ぐ延長するように並列状に延在している。第３中間導体部４８は、細長い線状に形成されており、第３ハウジング部４５のうち中間連結部４４ａに対応する部分内に配設されている。第３中間導体部４８の両端部は、一対の第３脚部延長部４７に達し、それらに溶接、半田付等によって接続されている。第３中間導体部４８の中間部はＵ字状に曲っており、この部分が、本第３ヒューズ４０に過電流が流される際に溶断する第３溶断部４８ａである。
【００４６】
そして、一対の第１脚部２２、一対の第２脚部３２、一対の第３脚部４２を、対応するメス端子１６に挿入接続するようにして、第１ヒューズ２０、第２ヒューズ３０、及び第３ヒューズ４０を、ヒューズボックス本体１２のヒューズユニット接続部１５に挿着する。
【００４７】
すると、第３連結部４４の凹状空間４９内に第２連結部３４が配設されると共に、第２連結部３４の凹状空間４９内に第１連結部２４が配設された状態で、第１ヒューズ２０、第２ヒューズ３０、第３ヒューズ４０が保持される。この状態では、一対の第１脚部２２の外側に一対の第２脚部３２を配設し、その外側に一対の第３脚部４２を配設する位置関係で、一対の第１脚部２２、一対の第２脚部３２、一対の第３脚部４２が直線状に並ぶ状態となる。
【００４８】
そして、第１連結部２４と第２連結部３４と第３連結部４４とが、第１〜第３ヒューズ２０、３０、４０に挿着方向において（つまり、平面視において）、重複した状態となる。より具体的には、第１連結部２４と第２連結部３４と第３連結部４４とが互いに平行な状態で上記装着方向において重複する。そして、各溶断部２８ａ、３８ａ、４８ａも上記装着方向において重複する。
【００４９】
なお、溶断部自体は、第１連結部２４、第２連結部３４、第３連結部４４の延在方向中間部ではなく、その端部よりの位置、又は、柱状連結部に設けられていてもよい。
【００５０】
なお、上記第１ヒューズ２０、第２ヒューズ３０及び第３ヒューズ４０がヒューズボックス本体１２に挿着される前の状態で、第１ヒューズ２０、第２ヒューズ３０及び第３ヒューズ４０が組合わされたヒューズユニット、或は、第１ヒューズ２０と第２ヒューズ３０が組合わされたヒューズユニット、或は、第２ヒューズ３０及び第３ヒューズ４０が組合わされたヒューズユニットとして取扱われてもよい。
【００５１】
以上のように構成されたヒューズボックス１０、ヒューズユニット及びヒューズ（第２ヒューズ３０、第３ヒューズ４０）によると、第１ヒューズ２０の第１連結部２４と第２ヒューズ３０の第２連結部３４とを重複させた状態で、第１ヒューズ２０と第２ヒューズ３０とがヒューズボックス本体１２に保持されている。このため、第１ヒューズ２０と第２ヒューズ３０とをなるべく省スペースでヒューズボックス本体１２に配設することができる。
【００５２】
また、第２ヒューズ３０の第２連結部３４と第３ヒューズ４０の第３連結部４４とを重複させた状態で、第２ヒューズと第３ヒューズ４０とがヒューズボックス本体１２に保持されている。このため、第２ヒューズ３０と第３ヒューズ４０を、なるべく省スペースでヒューズボックス本体１２に配設することができる。
【００５３】
そして、上記構成を併用し、第１ヒューズ２０の第１連結部２４、第２ヒューズ３０の第２連結部３４、第３ヒューズ４０の第３連結部４４を重複させているため、第１ヒューズ２０、第２ヒューズ３０及び第３ヒューズ４０をよりなるべく省スペースでヒューズボックス本体１２に配設することができる。
【００５４】
特に、第２ヒューズ３０の第２連結部３４は、中間連結部３４ａ及び一対の柱状連結部３４ｂとを含み、内側に第１連結部２４を配設可能な形状に形成されている。このため、第１ヒューズ２０と第２ヒューズ３０とをより省スペースでヒューズボックス本体１２に配設することができる。
【００５５】
同様に、第３ヒューズ４０の第３連結部４４は、中間連結部４４ａ及び一対の柱状連結部４４ｂとを含み、内側に第２連結部３４を配設可能な形状に形成されている。このため、第２ヒューズ３０と第３ヒューズ４０とをより省スペースでヒューズボックス本体１２に配設することができる。
【００５６】
また、第１連結部２４、第２連結部３４及び第３連結部４４が互いに平行な状態で重複しているため、それらの重複領域をなるべく大きくでき、それらをより省スペースで配設できる。
【００５７】
このように、複数のヒューズ２０、３０、４０を省スペースでヒューズボックス本体１２に保持すること等が可能になる結果、車両に多数のヒューズを組込むことが可能となる。これにより、より細分化されたシステム又は機器単位毎に、ヒューズを設けて回路を分けることが可能になる。これにより、各回路を流れる最大電流を小さくして、電線の細線化が可能になり、電線重量及び電線コストの低減を図ることができる。また、電線束を細径化できる。
【００５８】
また、上記第１ヒューズ２０と第２ヒューズ３０とは別体とされ、第２ヒューズ３０と第３ヒューズ４０とは別体とされている。このため、第１ヒューズ２０、第２ヒューズ３０、第３ヒューズ４０を別々に交換できる。
【００５９】
また、第１ヒューズ２０と第２ヒューズ３０との間、第２ヒューズ３０と第３ヒューズ４０との間には、隙間が生じることが期待されるため、それらからの放熱性も比較的良好である。
【００６０】
なお、上記実施形態において、第１ヒューズ２０と第２ヒューズ３０との関係で見ると、第１ヒューズ２０が、一対の内側脚部としての一対の第１脚部２２と、内側連結部としての第１連結部２４とを含む内側ヒューズであり、第２ヒューズ３０が、一対の内側脚部としての一対の第２脚部３２と、内側連結部としての第２連結部３４とを含む外側ヒューズであると捉えることができる。また、第２ヒューズ３０と第３ヒューズ４０との関係で見ると、第２ヒューズ３０が、一対の内側脚部としての一対の第２脚部３２と、内側連結部としての第２連結部３４とを含む内側ヒューズであり、第３ヒューズ４０が、一対の内側脚部としての一対の第３脚部４２と、内側連結部としての第３連結部４４とを含む外側ヒューズであると捉えることができる。
【００６１】
{変形例}
なお、上記実施形態では、第１連結部２４と第２連結部３４と第３連結部４４とが互いに平行な状態で重なると説明したが、必ずしもそのような態様で重なる必要は無い。
【００６２】
例えば、図７に示すように、第１連結部２４に対して第２連結部３４とが交差する（図７では直交している状態を示している）状態で、第１ヒューズ２０と第２ヒューズ３０とがヒューズボックス本体に保持されてもよい。
【００６３】
また、上記実施形態では、溶断部２８ａ、３８ａ、４８ａが重複する例で説明したが、必ずしもそのような態様で重なる必要は無い。例えば、第１連結部２４に対して第２連結部３４とが交差する状態を前提として、溶断部３８ａが第２連結部３４の端部（例えば、柱状連結部３４ｂ）の上に重なっていてもよい。
【００６４】
また、上記第２ヒューズ３０（或は第３ヒューズ４０）は、図８に示すように、ヒューズ３０とリレー１１０とを混載したボックス本体１１２において、第２連結部３４の凹状空間３９内にリレー１１０を配設して、第２連結部３４とリレー１１０とが重複した状態で、第２ヒューズ３０とリレー１１０とがボックス本体１１２に挿着されていてもよい。
【００６５】
また、上記実施形態では、第１ヒューズ２０、第２ヒューズ３０、第３ヒューズ４０が別体とされている例で説明したが、第１ヒューズ２０と第２ヒューズ３０とが一体形成された構成とされていてもよい。
【００６６】
図９に示す集合型ヒューズ２２０では、第１ハウジング部２５に対応する部分２２５と第２ハウジング部３５に対応する部分３３５とが樹脂等によって金型一体成型されたハウジング部２２２とされることで、一体化された構成とされている。
【００６７】
同様に、第２ヒューズ３０と第３ヒューズ４０とが一体形成され、或は、第１ヒューズ２０と第２ヒューズ３０と第３ヒューズ４０とが一体形成されていてもよい。
【００６８】
なお、上記実施形態及び各変形例で説明した各構成は、相互に矛盾しない限り適宜組合わせることができる。
【００６９】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００７０】
１０    ヒューズボックス
１１    電線
１２    ヒューズボックス本体
２０    第１ヒューズ
２２    第１脚部
２４    第１連結部
２８ａ  第１溶断部
３０    第２ヒューズ
３２    第２脚部
３４    第２連結部
３４ａ  中間連結部
３４ｂ  柱状連結部
３８ａ  第２溶断部
４０    第３ヒューズ
４２    第３脚部
４４    第３連結部
４４ａ  中間連結部
４４ｂ  柱状連結部
４８ａ  第３溶断部
２２０  集合型ヒューズ
２２２  ハウジング部
【図１】
2017060252.tif 000003
【図２】
2017060252.tif 000004
【図３】
2017060252.tif 000005
【図４】
2017060252.tif 000006
【図５】
2017060252.tif 000007
【図６】
2017060252.tif 000008
【図７】
2017060252.tif 000009
【図８】
2017060252.tif 000010
【図９】
2017060252.tif 000011